(57)【要約】【課題】本発明は、炭素繊維混抄紙を用いた遠赤外線輻射シートの消費電力を従来の遠赤外線輻射シートより極めて低く抑えることが出来るだけでなく、消費電力を抑えた場合であっても、生体内の細胞を活性化することが出来る遠赤外線を効率よく輻射させることが出来ると共に、温熱シートの表面からの伝導熱及び遠赤外線の輻射エネルギーにより暖められた生体患部から放出される熱や汗のみならず生体そのものが放射している遠赤外線を効率よく逃がして快適なつけ心地を使用者に与えることが出来る遠赤外線輻射シートを提供するものである。【解決手段】炭素繊維混抄紙２を用いた遠赤外線輻射シート本体１ａを絶縁体３により被包してなる遠赤外線輻射シート１において、該遠赤外線輻射シート本体１ａには、少なくとも一対の電極４が一方側の電極４ａと他方側の電極４ｂとの間に所定の距離を有すべく対峙して設けられてなり、しかも一方側の電極４ａと他方側の電極４ｂとの間に介在する遠赤外線輻射シート本体１ａの所定部位には、消費電力を低減するための開口部５が設けられたことを特徴とする。【選択図】                図１
2004209203.tif 000002
【特許請求の範囲】
【請求項１】
炭素繊維混抄紙（２）を用いた遠赤外線輻射シート本体（１ａ）を絶縁体（３）により被包してなる遠赤外線輻射シート（１）において、該遠赤外線輻射シート本体（１ａ）には、少なくとも一対の電極（４）が一方側の電極（４ａ）と他方側の電極（４ｂ）との間に所定の距離を有すべく対峙して設けられてなり、しかも一方側の電極（４ａ）と他方側の電極（４ｂ）との間に介在する遠赤外線輻射シート本体（１ａ）の所定部位には、消費電力を低減するための開口部（５）が設けられてなることを特徴とする遠赤外線輻射シート。
【請求項２】
前記遠赤外線輻射シート本体（１ａ）が、一方側の電極（４ａ）と他方側の電極（４ｂ）に跨がって並設された複数の帯状体（１ｂ）から形成され、且つ前記開口部（５）が各帯状体（１ｂ）間に形成された構成にしてなることを特徴とする請求項１記載の遠赤外線輻射シート。
【請求項３】
前記絶縁体（３）には、遠赤外線輻射シート本体（１ａ）に設けられた開口部（５）から、生体が発する熱及び／又は赤外線を外部放出するための放出孔（６）が設けられてなることを特徴とする請求項１又は２記載の遠赤外線輻射シート。
【請求項４】
前記遠赤外線輻射シート本体（１ａ）が、５μｍ〜１６μｍ波長領域の遠赤外線を放出する構成にしてなることを特徴とする請求項１乃至３の何れかに記載の遠赤外線輻射シート。
【請求項５】
前記請求項１乃至４の何れかに記載の遠赤外線輻射シートを装着するための被服であって、該被服本体（７ａ）には、遠赤外線輻射シート（１）を所定箇所で装着するためのシート装着部（８ａ）と、該遠赤外線輻射シート（１）の電極（４）に通電を促すべく該遠赤外線輻射シート（１）に通電手段を介して接続された電池式温度コントローラ（９）を所定箇所で装着するためのコントローラ装着部（８ｂ）が離間して設けられ、且つ該コントローラ装着部（８ｂ）が被服（７）を身につけた状態で電池式温度コントローラ（９）を操作可能な箇所に設けられた構成にしてなることを特徴とする遠赤外線輻射シート装着用被服。
【請求項６】
前記シート装着部（８ａ）とコントローラ装着部（８ｂ）が遠赤外線輻射シート（１）と電池式温度コントローラ（９）のそれぞれを着脱自在な構成にしてなることを特徴とする請求項５記載の遠赤外線輻射シート装着用被服。
【発明の詳細な説明】
【０００１】
【発明の属する技術分野】
本発明は、主に人体等の生体内の細胞を活性化して、凝りや痛みの緩和のみならず、各部位の機能回復をも促進させることが出来る遠赤外線輻射シート及び該遠赤外線輻射シート用被服に関するものである。
【０００２】
【従来の技術】
従来、暖房や加熱等を主目的にすることなく、生体内の凝りや痛みを緩和させることを主目的とする遠赤外線輻射シートとしては、例えば、特開平７−２７５３７９号公報所載のものが存在する。
【０００３】
即ち、かかる公報所載の温熱シートは、炭素繊維混抄紙からなる遠赤外線輻射シートに、その遠赤外線輻射シートを衣服に着脱自在に取り付けるための取付け手段及び該遠赤外線輻射シートに通電を促すための充電式電池を設けたものである。
【０００４】
上記構成にしてなる温熱シートによれば、取付け手段により遠赤外線輻射シートを衣服に着脱自在に取り付けることが出来るだけでなく、遠赤外線の輻射エネルギーが直進して人体の内部に到達することで分子運動を活発させ、その結果として、人体の部分が効率よく暖められて生体内の凝りや痛みを緩和させることが出来る。
【０００５】
【発明が解決しようとする課題】
しかしながら、上記構成にしてなる温熱シートにおいては、下記に示すような問題が生じていた。
【０００６】
即ち、かかる温熱シートは、軽量で嵩張らず、携帯が可能な安価なものであるが、使用上における最大の問題は、携帯して使用するものであるということから、炭素繊維混抄紙を用いた遠赤外線輻射シートの消費電力を如何に抑えるかという問題と、又消費電力を抑えた場合であっても生体内の細胞を活性化することが出来る遠赤外線を効率よく輻射させることが出来るかという問題、更に温熱シートの表面からの伝導熱及び遠赤外線の輻射エネルギーにより暖められた生体患部から放出される熱や汗のみならず生体そのものが放射している赤外線を如何に温熱シートから逃がして快適なつけ心地を患者に与えてやるかという問題が生じていたが、炭素繊維混抄紙を用いた遠赤外線輻射シートが開発されておよそ２０数年が経つがいまだその全ての問題を解決する手段はなかった。
【０００７】
【課題を解決するための手段】
本発明は、上記課題を解決すべく以下の手段を講じたものであり、請求項１にかかる発明は、炭素繊維混抄紙２を用いた遠赤外線輻射シート本体１ａを絶縁体３により被包してなる遠赤外線輻射シート１において、該遠赤外線輻射シート本体１ａには、少なくとも一対の電極４が一方側の電極４ａと他方側の電極４ｂとの間に所定の距離を有すべく対峙して設けられてなり、しかも一方側の電極４ａと他方側の電極４ｂとの間に介在する遠赤外線輻射シート本体１ａの所定部位に、消費電力を低減するための開口部５を設けた点にある。
【０００８】
よって、遠赤外線輻射シート本体１ａに他の部材を取り付けたりすることなく、極めて簡単且つ安価に、しかも確実に遠赤外線輻射シート１の消費電力を抑えることが出来るという利点がある。
【０００９】
更に、請求項２にかかる発明は、遠赤外線輻射シート１の遠赤外線輻射シート本体１ａが、一方側の電極４ａと他方側の電極４ｂに跨がって並設された複数の帯状体１ｂから形成され、且つ前記開口部５を各帯状体１ｂ間に形成した点にある。
【００１０】
よって、遠赤外線輻射シート本体１ａに開口部５を形成する場合において、何ら特別な機械や工具を必要とすることなく、スリッター等を介して帯状に形成された複数の帯状体１ｂを所定の間隔を有して並べ、その後それぞれの帯状体１ｂの両端を電極４ａ、４ｂを介して接続するという簡単な作業で遠赤外線輻射シート１の消費電力を抑えることが出来る開口部５を遠赤外線輻射シート本体１ａに形成することが出来るという利点がある。
【００１１】
更に、請求項３にかかる発明は、遠赤外線輻射シート１の遠赤外線輻射シート本体１ａを被包してなる絶縁体３に、遠赤外線輻射シート本体１ａに設けられた開口部５から、生体が発する熱及び／又は赤外線を外部放出するための放出孔６を設けた点にある。
【００１２】
従って、遠赤外線輻射シート１の表面からの伝導熱及び遠赤外線の輻射エネルギーにより暖められた生体患部から放出される熱や汗のみならず生体そのものが放射している赤外線を遠赤外線輻射シート１に形成された放出孔６から空気中へと効率よく逃がしてやることが可能となり、その結果として遠赤外線輻射シート１を快適に使用することが出来るという利点がある。
【００１３】
又、請求項４にかかる発明は、遠赤外線輻射シート１の遠赤外線輻射シート本体１ａが、５μｍ〜１６μｍ波長領域の遠赤外線を放出する点にある。
【００１４】
よって、消費電力を抑えた場合であっても生体内の細胞を活性化することが出来る波長領域の遠赤外線を効率よく輻射させることが出来るという利点がある。
【００１５】
更に、請求項５にかかる発明は、請求項１乃至４の何れかに記載の遠赤外線輻射シート１を備えた被服の被服本体７ａに、遠赤外線輻射シート１を所定箇所で装着するためのシート装着部８ａと、該遠赤外線輻射シート１の電極４に通電を促すべく該遠赤外線輻射シート１に通電手段を介して接続された電池式温度コントローラ９を所定箇所で装着するためのコントローラ装着部８ｂが離間して設けられ、且つ該コントローラ装着部８ｂを被服７を身につけた状態で電池式温度コントローラ９を操作可能な箇所に設けた点にある。
【００１６】
従って、遠赤外線輻射シート１と電池式温度コントローラ９を分離することで遠赤外線輻射シート１が被服７のいろいろな箇所に装着された場合であっても電池式温度コントローラ９をいつでも簡単且つ確実に操作しうる最適な操作性を有した被服を提供することが出来るという利点がある。
【００１７】
更に、請求項６にかかる発明は、遠赤外線輻射シート１を備えた被服の被服本体７ａに設けられたシート装着部８ａとコントローラ装着部８ｂが遠赤外線輻射シート１と電池式温度コントローラ９のそれぞれを着脱自在とする点にある。
【００１８】
よって、遠赤外線輻射シート１と電池式温度コントローラ９を装着する被服７が各種の上着やズボン、各種の作業服や運動服等であっても、遠赤外線輻射シート１と電池式温度コントローラ９を汚れた被服７より簡単に取り外すことが可能となり、しいては、汚れた被服７のみを従来の被服同様に洗濯したり、クリーニングに出すことが出来る被服７を提供することが出来るという利点がある。
【００１９】
【発明の実施の形態】
以下、本発明における遠赤外線輻射シート及び該遠赤外線輻射シート装着用被服の一実施形態を図面に従って説明する。
【００２０】
〈第一実施形態〉
図１において、１は遠赤外線輻射シートを示し、かかるシート１は、和紙の原料となるコウゾ、ミツマタ、ガンピ等の天然パルプにカーボンファイバー（炭素繊維）を分散し、粘剤を加えて、例えば、坪量の４０ｇ／ｍ２，厚さ１１０μｍ，シート抵抗５０Ω／□の幅１０００ｍｍを１規格としたものを約５ｃｍ×６ｃｍ位に裁断した炭素繊維混抄紙２を用いた遠赤外線輻射シート本体１ａを可撓性を有した合成樹脂シート等の絶縁体３により被包すると共に全体を略矩形状に形成した構成にしてなるものである。
【００２１】
尚、上記炭素繊維混抄紙２は、天然パルプ，カーボンファイバーの量及び坪量を変化させることでシート抵抗を変化させることが出来る。
【００２２】
４は遠赤外線輻射シート本体１ａに設けられた一対の電極４を示し、略矩形状に形成された遠赤外線輻射シート本体１ａの一端側に一方側の電極４ａが、シート本体１ａの他端側に他方側の電極４ｂが所定の距離を有すべく対峙して設けられている。
【００２３】
尚、電極４の構造としては、遠赤外線輻射シート本体１ａの断面に対する有効な接続方式として銀ペーストスクリーン印刷が最良であり、又電極部の機械的な強度を補うためと通電線等の接続手段の取付けの確実性を向上させるために銅箔テープを貼り付けるのがより好ましいが、必ずしも必須の要件でないのは言う迄もない。
【００２４】
５は前記一方側の電極４ａと他方側の電極４ｂとの間に介在する遠赤外線輻射シート本体１ａの所定部位に一定の間隔で穿設された、例えば計９個の円形の開口部を示し、かかる開口部５は、後述する電池式温度コントローラ９を介して遠赤外線輻射シート本体１ａに所定の電圧を印加した際に、１Ｗ以下の電力を消費するような開口径、個数で遠赤外線輻射シート本体１ａに設けられるものである。
【００２５】
尚、上記開口部５が、必ずしも円形である必要はなく、矩形状であってもよく、遠赤外線輻射シート本体１ａに穿設される開口部５の形状及び個数も全く限定されないのは言うまでもない。
【００２６】
更に、上記遠赤外線輻射シート本体１ａは、天然パルプ，カーボンファイバーの量及び坪量を変化させることでシート抵抗を変化させることが出来るだけでなく、その混合比を調整することで、前記１Ｗ以下の電力を消費しつつ、５μｍ〜１６μｍ波長領域の遠赤外線を放出すべくそれぞれの混合比率で予め調整されている。
【００２７】
９は電池式温度コントローラ９を示し、前記一方側の電極４ａと他方側の電極４ｂのそれぞれに取付けられた可撓性を有する所定長の通電線（接続手段）１０を介して遠赤外線輻射シート本体１ａに接続されてなるものである。
【００２８】
尚、上記電池式温度コントローラ９には、該温度コントローラ９の電源をオン・オフさせるための電源スイッチ９ａと、遠赤外線輻射シート本体１ａの表面からの伝導熱及び遠赤外線の輻射エネルギー量を適宜調整可能なアップスイッチ９ｂとダウンスイッチ９ｃが設けられてなる。
【００２９】
本発明における遠赤外線輻射シート１は上記構成からなるために、遠赤外線輻射シート本体１ａに他の部材を取り付けたりすることなく、極めて簡単且つ安価に、しかも確実に遠赤外線輻射シート１の消費電力を抑えることが出来るという利点がある。
【００３０】
更に、上記構成からなる遠赤外線輻射シート１は、遠赤外線輻射シート本体１ａが、５μｍ〜１６μｍ波長領域の遠赤外線を放出することから、一般的に人体が放射する８μｍ以上の赤外線に極めて近い波長を人口的に得ることが可能となり、しいては消費電力を抑えた場合であっても生体内の細胞を活性化することが出来る波長領域の遠赤外線を効率よく輻射させることが出来るという利点がある。
【００３１】
〈第二実施形態〉
更に、図２に示すように、遠赤外線輻射シート本体１ａに設けられた開口部５から、生体が発する熱及び／又は赤外線を外部放出すべく該遠赤外線輻射シート本体１ａを被包してなる絶縁体３に、上記シート本体１ａの開口部５の個々に対応した放出孔６を設けてもよい。
【００３２】
よって、上記の如く、絶縁体３に、上記シート本体１ａの開口部５の個々に対応した放出孔６を設けた場合には、遠赤外線輻射シート本体１ａに他の部材を取り付けたりすることなく、極めて簡単且つ安価に、しかも確実に遠赤外線輻射シート１の消費電力を抑えることが出来るだけでなく、遠赤外線輻射シート１の表面からの伝導熱及び遠赤外線の輻射エネルギーにより暖められた生体患部から放出される熱や汗のみならず生体そのものが放射している赤外線を遠赤外線輻射シート１に形成された放出孔６から空気中へと効率よく逃がしてやることが可能となり、その結果として遠赤外線輻射シート１を快適に使用することが出来るという利点がある。
【００３３】
更に、上記の如く放出孔６を有した場合でも、遠赤外線輻射シート本体１ａが、５μｍ〜１６μｍ波長領域の遠赤外線を放出した際には、消費電力を抑えつつも生体内の細胞を活性化することが出来る波長領域の遠赤外線を効率よく輻射させることが出来るという利点がある。
【００３４】
〈第三実施形態〉
又、図３に示すように、遠赤外線輻射シート本体１ａを、一方側の電極４ａと他方側の電極４ｂに跨がって並設された複数の帯状体１ｂから形成し、且つ前記開口部５を各帯状体１ｂ間に形成してもよい。
【００３５】
よって、この場合には、遠赤外線輻射シート本体１ａに開口部５を形成する場合において、何ら特別な機械や工具を必要とすることなく、スリッター等を介して帯状に形成された複数の帯状体１ｂを所定の間隔を有して並べ、その後それぞれの帯状体１ｂの両端を電極４ａ、４ｂを介して接続するという簡単な作業で遠赤外線輻射シート１の消費電力を抑えることが出来る開口部５を遠赤外線輻射シート本体１ａに形成することが出来るという利点がある。
【００３６】
〈第四実施形態〉
更に、本発明は、消費電力を抑えた遠赤外線輻射シート１を提供するだけでなく、かかる遠赤外線輻射シート１を備えた被服７をも提供するものである。
【００３７】
即ち、かかる被服７は、図４に示すように、被服本体７ａに、遠赤外線輻射シート１を所定箇所、例えば腰部近傍で装着すべく、例えば袋状のシート装着部８ａと、該遠赤外線輻射シート１の電極４に通電を促すべく該遠赤外線輻射シート１に通電手段を介して接続された電池式温度コントローラ９を所定箇所で装着すべく袋状のコントローラ装着部８ｂが離間して設けられ、且つ該コントローラ装着部８ｂを被服７を身につけた状態で電池式温度コントローラ９を操作可能な箇所、例えば袖口に設けた構成にしてなるものである。
【００３８】
従って、上記の如く、遠赤外線輻射シート１と電池式温度コントローラ９を分離することで遠赤外線輻射シート１が被服７のいろいろな箇所に装着された場合であっても、電池式温度コントローラ９をいつでも簡単且つ確実に操作しうる最適な操作性を有した被服を提供することが出来るという利点がある。
【００３９】
更に、上記のように、被服本体７ａに設けられたシート装着部８ａとコントローラ装着部８ｂが遠赤外線輻射シート１と電池式温度コントローラ９のそれぞれをボタン、フック、ジッパー又はベルクロ等を介して着脱自在とする構造（図示せず）を有してなる場合には、遠赤外線輻射シート１と電池式温度コントローラ９を装着する被服７が各種の上着やズボン、各種の作業服や運動服等であっても、遠赤外線輻射シート１と電池式温度コントローラ９を汚れた被服７より簡単に取り外すことが可能となり、しいては、汚れた被服７のみを従来の被服同様に洗濯したり、クリーニングに出すことが出来る被服７を提供することが出来るという利点がある。
【００４０】
而して、要は、所定の距離を有すべく対峙して設けられた一方側の電極と他方側の電極との間に介在する遠赤外線輻射シート本体の所定部位に、消費電力を低減するための開口部が設けられた構成であれば、具体的な各部の構造、材質、形状等も一切限定されないのは言うまでもない。
【００４１】
【発明の効果】
叙上のように、本発明は、炭素繊維混抄紙を用いた遠赤外線輻射シート本体を絶縁体により被包してなる遠赤外線輻射シートにおいて、該遠赤外線輻射シート本体には、少なくとも一対の電極が一方側の電極と他方側の電極との間に所定の距離を有すべく対峙して設けられ、しかも一方側の電極と他方側の電極との間に介在する遠赤外線輻射シート本体の所定部位には、消費電力を低減するための開口部が設けられたことから、遠赤外線輻射シート本体に他の部材を取り付けたりすることなく、極めて簡単且つ安価に、しかも確実に遠赤外線輻射シートの消費電力を抑えることが出来るという効果を奏する。
【００４２】
更に、遠赤外線輻射シートの遠赤外線輻射シート本体を、一方側の電極と他方側の電極に跨がって並設された複数の帯状体から形成し、且つ前記開口部を各帯状体間に形成した場合には、何ら特別な機械や工具を必要とすることなく、スリッター等を介して帯状に形成された複数の帯状体を所定の間隔を有して並べ、その後それぞれの帯状体の両端を電極介して接続するという簡単な作業で遠赤外線輻射シートの消費電力を抑えることが出来る開口部を遠赤外線輻射シート本体に形成することが出来るという効果を奏する。
【００４３】
更に、遠赤外線輻射シートの遠赤外線輻射シート本体を被包してなる絶縁体に、遠赤外線輻射シート本体に設けられた開口部から、生体が発する熱及び／又は赤外線を外部放出するための放出孔を設けた場合には、遠赤外線輻射シートの表面からの伝導熱及び遠赤外線の輻射エネルギーにより暖められた生体患部から放出される熱や汗のみならず生体そのものが放射している赤外線を遠赤外線輻射シートに形成された放出孔から空気中へと効率よく逃がしてやることが可能となり、その結果として遠赤外線輻射シートを快適に使用することが出来るという効果を奏する。
【００４４】
又、遠赤外線輻射シートの遠赤外線輻射シート本体が、５μｍ〜１６μｍ波長領域の遠赤外線を放出する場合には、消費電力を抑えた場合であっても生体内の細胞を活性化することが出来る波長領域の遠赤外線を効率よく輻射させることが出来るという効果を奏する。
【００４５】
更に、遠赤外線輻射シートを備えた被服の被服本体に、遠赤外線輻射シートを所定箇所で装着するためのシート装着部と、該遠赤外線輻射シートの電極に通電を促すべく該遠赤外線輻射シートに通電手段を介して接続された電池式温度コントローラを所定箇所で装着するためのコントローラ装着部が離間して設けられ、且つ該コントローラ装着部を被服を身につけた状態で電池式温度コントローラを操作可能な箇所に設けた場合には、遠赤外線輻射シートと電池式温度コントローラを分離させて遠赤外線輻射シートを被服のいろいろな箇所に装着した際であっても電池式温度コントローラをいつでも簡単且つ確実に操作しうる最適な操作性を有した被服を提供することが出来るという効果を奏する。
【００４６】
更に、遠赤外線輻射シートを備えた被服の被服本体に設けられたシート装着部とコントローラ装着部が遠赤外線輻射シートと電池式温度コントローラのそれぞれを着脱自在とする構成である場合には、遠赤外線輻射シートと電池式温度コントローラを装着する被服が各種の上着やズボン、各種の作業服や運動服等であっても、遠赤外線輻射シートと電池式温度コントローラを汚れた被服より簡単に取り外すことが可能となり、しいては、汚れた被服のみを従来の被服同様に洗濯したり、クリーニングに出すことが出来る被服を提供することが出来るという効果を奏する。
【図面の簡単な説明】
【図１】本発明の一実施形態における遠赤外線輻射シート及び電池式温度コントローラの斜視図。
【図２】他の実施形態における遠赤外線輻射シートを示し、同図（イ）は平面図、同図（ロ）は同図（イ）のＡ−Ａ線断面図。
【図３】他の実施形態における遠赤外線輻射シート本体の平面図。
【図４】本発明における遠赤外線輻射シート装着用被服の斜視図。
【符号の説明】
１…遠赤外線輻射シート
１ａ…遠赤外線輻射シート本体
２…炭素繊維混抄紙
３…絶縁体
４…電極
５…開口部
６…放出孔
７…被服
９…電池式温度コントローラ
【図１】
2004209203.tif 000003
【図２】
2004209203.tif 000004
【図３】
2004209203.tif 000005
【図４】
2004209203.tif 000006